(57)【要約】  キャリアが平削りブレードを包み込む、処理されるべき人体の部分から不要で余分な皮膚の除去するための道具。上記ブレードボディは、ブランクと、上記道具が処理されるべき皮膚の部分を横切って往復動する際に、除去されるべき皮膚に接触するように、上記ブランクの面を超えて、均一な遷移で上向きに突き出る、同一平面上の、均一で、対向する刃先とからなる。
2008523887.tif 000002
【特許請求の範囲】
【請求項１】
キャリアと；前記キャリア内に固定されたブレードボディとを組み合せて含み；
前記ブレードボディは、変形可能なブランクから形成されており、複数の分離した切刃(cutting teeth)を含有し、前記刃は前記ブランクの面上に所定の距離だけ突き出ており；各前記刃は、少なくとも２つの、均一で分離した、対向した刃先を有し；
前記キャリアは前記ブレードボディを囲み、除去されるべき皮膚に前記刃が接触しているときに、前記キャリアの往復動が、制御された量の余分な皮膚の除去を各前記往復動がもたらすように、前記ブレードボディを前記キャリア内に保持することを特徴とする、人体の部分の余分な、または不要な皮膚の積層を穏やかに除去するための道具。
【請求項２】
前記ブレードボディの外周領域のまわりに一連のタブが設けられており、前記タブは前記ブレードボディを囲み、前記タブは前記キャリア内に固定され、前記ブレードボディを前記キャリア内に付着することを特徴とする請求項１に記載の道具。
【請求項３】
前記タブが、一体化して、前記ブレードボディの外周上に形成されていることを特徴とする請求項２に記載の道具。
【請求項４】
各刃は、一対の対向した刃先を有することを特徴とする請求項１に記載の道具。
【請求項５】
前記刃先は、配置において弓形であることを特徴とする請求項４に記載の道具。
【請求項６】
前記刃先は、同一平面上にあることを特徴とする請求項４に記載の道具。
【請求項７】
前記刃先は、前記変形可能なブレードボディの上に０．０２５インチ未満隆起していることを特徴とする請求項１に記載の道具。
【請求項８】
前記ブレードボディが、片面光化学エッチングプロセスによって形成されていることを特徴とする請求項１に記載の道具。
【請求項９】
各刃は、カッティングエレメントの配列を含み、各前記カッティングエレメントは対向する刃先を有することを特徴とする請求項１に記載の道具。
【請求項１０】
前記ブレードボディが、片面光化学エッチングプロセスによって形成されていることを特徴とする請求項７に記載の道具。
【請求項１１】
各刃の下に開口部が形成されており、前記刃および前記ブレードボディは共に、処理されるべき皮膚の部分から前記刃先によって除去される微粒子物質の除去のための溝を画定することを特徴とする請求項１に記載の道具。
【請求項１２】
前記ブレードボディ内に開口部が形成されており；前記ブランクの対向するエッジは、前記ブレードボディの表面から上方に変形して円滑に遷移し、前記上を向いたエッジが刃先を画定することを特徴とする請求項４に記載の道具。
【請求項１３】
前記キャリアが直立したシェルを含み、前記シェルは楕円形であり、上側リッジ、下側リッジ、およびその間の中央セクションを有し、前記中央セクションは凹んだ側壁を有し；
前記ブレードボディは、前記下側リッジ内へ組み込まれていることを特徴とする請求項１に記載の道具。
【請求項１４】
前記道具のためのキャップが設けられており、前記キャップは、前記道具が使用されていないときに前記ブレードボディを保護するために、前記下側リッジを覆うように取り付けられていることを特徴とする請求項１３に記載の道具。
【請求項１５】
前記キャップの表面は、研磨材に取り付けられていることを特徴とする請求項１３に記載の道具。
【請求項１６】
前記キャリアは、ハンドル、前記ハンドルに付随するヘッド部、および前記ヘッド部に付着された前記ブレードボディを含むことを特徴とする請求項１に記載の道具。
【請求項１７】
キャリアと；前記キャリア内に固定されたブレードボディとを組み合せて含み；
前記ブレードボディは、変形可能なブランクから形成されており、複数の分離した切刃(cutting teeth)を含有し、前記切刃は前記ブレードボディの面上に所定の距離だけ突き出ており；各前記刃は、少なくとも２つの分離した対向した刃先を有し；
各刃先の下に開口部が形成されており、前記開口部のまわりの前記刃および前記変形可能なブレードボディは共に溝を確定し、各前記溝は、処理されるべき部分から除去される微粒子物質を、前記開口部を介して前記刃先から離れるように導くように配置されており；
前記開口部のまわりの前記刃先と、前記変形可能なブレードボディとの間の距離は０．０２５インチ以下であることを特徴とする、人体の余分な、または不要な皮膚の積層を穏やかに除去するための道具。
【請求項１８】
前記ブレードボディが、片面光化学エッチングプロセスによって形成されていることを特徴とする請求項１７に記載の道具。
【発明の詳細な説明】
【技術分野】
【０００１】
本発明は概して、足、肘、およびその他の人体の部分から、角質、たこ、およびその他の醜く積層した余分な皮膚を除去するための道具に関し、特には、良質な皮膚を傷める、または不必要にすり減らすことなく、このような醜い皮膚を痛みなく除去する、手動の道具に関する。
【０００２】
関連出願のクロスリファレンス：該当なし
連邦支援(federally sponsored)調査または開発に関する報告：該当なし
コンパクトディスクで提出された援用される資料：該当なし
マイクロフィッシュ付属書(microfiche appendix)への言及：該当なし
【０００３】
技術分野
通常たこは、肥厚性の皮膚の外層の積層である。魚の目は、表皮を貫く内核を有する。これらは共に刺激物から成長するものであり、一般にたこは痛みを伴わないが、魚の目は痛みを伴うことが多く、これらの状態は共に醜く、不快であることが多い。
【０００４】
魚の目、たこおよびその他の皮膚の積層に関しては、古代エジプトの医師の墓から発見されたレリーフその他の痕跡からも分かるように、少なくとも紀元前２４００年までさかのぼる。聖書時代以前のギリシャにおいてヒポクラテスは、これらの問題について世話をすることの必要性を示した。
【０００５】
今日では、スキンケア全般、魚の目、たこ、その他の醜い皮膚の積層の除去は、米国皮膚病学会によると、１０億ドル規模のビジネスとなっている。
【０００６】
角質を除去するための製品の数および種類は膨大であり、単に皮膚をすり減らす、紙やすり、石目やすり、および爪やすり等の研磨材から、この技術分野で際立つものであり、実際には余分な皮膚を切り取る、かみそり、ナイフ、スクレーパー等のブレードタイプの道具、さらには穴の開いた金属の道具へと及ぶ。
【０００７】
上記穴の開いた金属の道具においては、金属の薄板に穴が開けられており、穴開けによる金属の裂け目の結果である、開口部の回りの連続したエッジである、隆起した、基本的に円錐形である、連続した段差をもたらし、その巨視的なサイズのため、それらはすり減らすまたは剥がし取ることにより、余分な皮膚を除去する。
【０００８】
また、このような不要および醜い皮膚の積層を化学的に軟化させ、分解する、無数の、多くは香水を染み込ませた、薬品が出回っている。
【０００９】
これらの全ての製品は、美顔または医療目的の使用にかかわらず、過剰なことに影響を受けやすく、生存能力のある成長している組織の損傷につながる。
【背景技術】
【００１０】
それらの多くが、小奇麗で魅力的なパッケージで市場に出回っているだけにもかかわらず、様々な形態の、不要な皮膚を除去するための道具の少なくとも一部は、特許されている。魚の目、および、たこのトリミングおよび除去のためのブレードの使用に関する初期の特許の一つは、特許文献１としてジャクソンに特許された。ジャクソンの道具は旧式の安全カミソリに似ており、深い切り傷を抑制することを明言する。
【００１１】
数件の他のブレードタイプの道具が特許されており、その一つは、余分な角質を切り取る平らなブレードを受け入れる凹部がヘッドに形成されている、ポトビンの特許文献２である。また、ポトビンには、ヘッド４の後ろにブレードが埋め込まれた、特許文献３も発行されている。
【００１２】
他のブレードタイプのたこ除去道具は、プラクトの特許文献４およびギルハウス等の特許文献５を含む。
【００１３】
従来技術は、一般的に用いられる紙やすりや爪やすりであふれている。それらの多くは、主に商業目的で、魅力的で装飾的なハンドルに入れられている。その他のものは、電池またはその他の電気的手段によって駆動される。
【００１４】
このようなやすりの少なくとも一つは、爪やすり、すなわちハガの特許文献６として特許されている。具体的に、余分な皮膚を除去するための道具としては設計されていないが、外見的にはその潜在的可能性を有しているように見受けられ、そのプロセスは本発明において採用されている方法とは大幅に異なるが、光化学エッチングプロセスによって形成されている。
【００１５】
【特許文献１】米国特許第１，７１４，３７１号
【特許文献２】米国特許第２，６１２，６８３号
【特許文献３】米国特許第２，５７３，４８７号
【特許文献４】米国特許第３，６３６，６２５号
【特許文献５】米国特許第３，７９７，５０５号
【特許文献６】米国特許第４，４２２，４６５号
【発明の開示】
【課題を解決するための手段】
【００１６】
たこ、魚の目等の形の、醜い皮膚の蓄積の除去のための手動の製品の膨大な種類にもかかわらず、消費者は手ごろで、使用に際しとても安全であり、洗浄および次回の使用までの保管が容易である製品を求め続けている。それは、本発明のマイクロスライシング製品である。
【００１７】
上述したように、本発明の目的は、劇的に改善した皮膚の除去を提供しつつ、信頼性があり、単純に使用できるスキンケア製品を消費者に提供することである。
【００１８】
本発明の他の目的は、処理される体の部分から切除されたものである、除去された表皮残余物、汚れ、およびバクテリアを、溝を介して運び去るため、処理されるべき部分に完全に接触することを実現する刃先の詰りや機能障害がなく、さらに、チリ等を堆積させず、優秀な洗浄特性を有するスキンケア道具を提供することである。
【００１９】
本発明の更なる目的は、醜い皮膚の積層を除去するための手動の道具であって、そのカット面は少なくとも一部が、より鋭利で、より耐久性の高いカット面または平削り面を提供するための、識別されたような光化学エッチングプロセス、すなわち金属穴あけプロセスによって形成され、現存するやすり、または爪やすりの使用から期待される粗面よりも、処理される表面を滑らかにする、金属穴あけ法の形成によるものを提供することである。
【００２０】
更なる、本発明の他の目的は、少なくとも二方向、他の態様においては多方向の作動が可能である、記述されたような道具を提供することである。
【００２１】
具体的に記載されていないその他のことに加え、上述した本発明の目的および利点は、添付された図を併用し、下記の詳細な説明や好ましい態様を読んだ場合、当業者が得られるものである。
【発明を実施するための最良の形態】
【００２２】
ここで、図を参照し、最初に図１および図９を参照し、本発明に従って構成された、不要で醜い皮膚を手動で除去するためのブレードタイプの道具を２０で表す。上記道具２０は、ブレードボディ２４を保持するキャリア２２を含む。
【００２３】
図１の態様において上記キャリア２２は、上記ブレードボディが手のひらと反対側を向くように、人の手のひらに保持されるように構成されており、その位置にある際は、処理されるべき部分と接触して、その部分を横切って動くことができる。
【００２４】
説明されている形式においてキャリアは、例えば図１および図３に例示するように略楕円形の直立したシェルの形式である。当然のことながら、本発明に帰属する目的に一致する限り、上記具体的な形状の変化は本発明の意図の範囲内である。
【００２５】
上記シェルは中央セクション３１と共に、上側リッジ２６および下側リッジ２８を有する。上記中央セクションは、人が道具を握る能力を向上させる、概して凹んだ側壁を有する。木材や特定の物質を含むいかなる形成可能な物質が効率的に使用可能であることは明らかであるが、経済性および単純性のために上記キャリアは、いかなる公知のプラスチック物質などの形成可能な物質からなることが好ましい。
【００２６】
本発明の安全の観点を考慮すると、図２のように、補助キャップ３３が設けられていてもよい。上記キャップ３３は、キャリア２２の下側リッジ２８のまわりに取り付けられ、そのまわりにはめ込まれる。上記キャップのフリー面３５は、皮膚の除去プロセス中に粗くなった皮膚を滑らかにするための磨き布として作用するために、研磨材がコーティングされていてもよい。
【００２７】
最適な安全および処理されるべき部分から角質が除去される際の滑らかさを実現しつつ、上記道具の効率を最大にするために本発明においてブレードボディ２４は、使用者の処理されるべき醜い皮膚の積層を横切って往復動された際に二方向の平削り作用を提供する刃の配置を有する。
【００２８】
図６および図７に例示するように上記ブレードボディ２４は、変形可能な物質のブランク２５からなり、キャリア２２などのキャリアに取り付けられるように造形される。示されるように、それは、均一な配列の刃３７がその上に形成された、略楕円の構成である。
【００２９】
本発明のスキンケア道具２０は、それ自身が効率の高い製造プロセスに役立つように設計されており、そのため、ブレードボディ２４およびキャリア２２は完全に一体化された単位として形成されてもよい。より具体的には、ブレードボディ２４は、理想的には光化学エッチングプロセス、特には、非常に均一な鋭利なエッジを提供するプロセスである、スタートバントの米国特許番号５，１００，５０６に開示され、教授されている片面エッチングプロセスなどによる形成に適合しておいる。当然のことながら、達成されるべき目的に合致する他の製造方法は、本発明の意図の範囲内である。
【００３０】
好ましい製造プロセスは、上記ブレードボディの外郭と、その外郭内に刃を形成するために、物質の平らなブランクの最初のエッチングを伴う。図６および図７に示すように、ブレードボディ２４の外周は、上記ブレードボディを囲む一連のタブ５３で形成される。このように形成されたブランクは、その後金型またはモールドに配置され、タブ５３が曲げられ、図６に示すように、金型におけるブランクの圧縮に際し、プラスチックなどの形成可能な物質が金型に注入または導入される。
【００３１】
好ましい製造方法においては、金型内でブレードボディのまわりに形成可能な物質がキャリアを形成し、同時に、形成可能な物質にタブを封入し、これによりキャリアにブレードを固定する。当然のことながら、本発明の本質的要素を逸脱することなく、本発明の道具を作成するために、他の製造手順が用いられてもよい。
【００３２】
多くの人にとっては上記手のひらで保持されるキャリア２０はとても有効であるが、このようなキャリアが役に立つとはいえない場合や、醜い皮膚の積層の場所がある。このような場合、本発明は他のキャリア、すなわち図４および図５に例示するハンドルキャリア６０の使用を意図する。
【００３３】
人間工学的に好ましいキャリア６０は、ハンドル部６４の端部に形成され、または設けられるヘッド部６２を有する。上記ヘッド部６２は楕円形に構成されており、ブレードボディ、つまりブレードボディ２４を受け入れる。上記ハンドル部６４は、ヘッド部から、所望の場合には道具をフック等にかけて保管できるように開口部が形成されている先端６６へと緩やかにカーブしている。上記ハンドルは、体の届きにくい部分に使用者が届き、不要な皮膚を除去できるようにする。
【００３４】
本発明は、二方向に作動するブレードボディを意図する。図６および図７にブレードボディ７１を示す。上記キャリアが他の形状であっても容易に機能を達成できることは明らかではあるが、上記ブレードボディ７１は、楕円形を有するブランクから都合よく形成されている。数列の二方向刃７３は、ブレードの縦軸に対して横向きに形成されており、図６に最もよく示されている。
【００３５】
次に、図８〜図１１を参照し、本発明における二方向刃が詳しく示された数個の展開図を示す。各刃７３は、分離した、対向する刃先７５および７６を画定するエレメントが設けられている。示されたように、各エッジ７５および７６は同一平面上であり、処理されるべき皮膚の部分に刃先が露出されるように、刃先が形成される場所であるブランク７８の面から、所定の少ない量だけ隆起されている。上記ブランク７８の面に対する上記刃先７５および７６の高さ「Ｈ」は、一回の道具の動作で余分な皮膚の極少量が除去されることを使用者に保証するために、０．０２５インチ以下の寸法に注意深く制御される。
【００３６】
図８に例示するように、上記隆起したエッジは、ブレードがそこから形成される場所であるブランク２５で、矢印８７で示される溝を画定する。上記溝は、刃先の下の、角質は本質的にそれを通り、処理されるべき部分から素早く流れでる、制御された、トンネル状のシュートを提供し、その後開口部８３を通る。
【００３７】
上述したように、本発明による仕上げされたブレードボディの形成に際しては、上述したスタートバント等の´５０６特許に開示されているような光化学エッチングプロセスが、上記ブレードボディの製造に理想的に適している。このようなエッチングプロセスを用いることにより、まずブランク７８に各開口部８３が形成され、ブレードボディの輪郭は、このようにして画定される。
【００３８】
得られた開口部８３は、外周エッジによって画定される。対向するエッジ７５、７６は、本シナリオにおいては、アップセットされており、上記ブランク７８の面から高さ「Ｈ」だけ上になるように上記エッジを動かすように、金型内でプレスすることによってその開口部を形成することで得られる。このように形成された各刃先は、図１６に示されるように、弓形の構成を有する。
【００３９】
さらに、金型でアップセットされた上記エッジ７５および７６は、隣接するエッジと、隆起またはアップセットされたエッジとの間のより緩やかな遷移を提供する。その結果、その部分にいかなる破片が停滞または堆積する可能性が低く、これによって道具の完全性が向上される。
【００４０】
概して、この新規な道具は、平削り往復動によって、たこ、および、魚の目の性質を持った不要な皮膚の積層の、穏やかで、その上安全な除去を提供する。本発明は、上記ブレードボディが組み込まれる、自分の要求に合ったものの選択を消費者に提供する、二つの便利なキャリアスタイルを意図する。
【００４１】
特許請求の範囲に規定される発明から外れることなく、本発明のエレメントの一以上の軽微な変更が可能であることは、当業者には明らかである。
【図面の簡単な説明】
【００４２】
【図１】図１は、上から見たときの、手のひらで制御されるキャリア道具を説明する、本発明の一態様の斜視図である。
【図２】図２は、道具の下から見たときの、使用されていないときに道具の刃先を汚れ、綿ほこり等から守るキャップをさらに説明する、図１の態様の追加的な斜視図である。
【図３】図３は、図１のキャリア内に固定されたブレードボディ上に形成された切刃のパターンを説明する、手のひらで保持される図１の道具の上面平面図である。
【図４】図４は、配置されたブレードボディを示し、細長いハンドルを含むキャリア道具の斜視図である。
【図５】図５は、図４のキャリア道具の上面平面図である。
【図６】図６は、本発明にしたがって構成されたブレードボディの上面平面図である。
【図７】図７は、図６のブレードボディを下側から見たときの斜視図である。
【図８】図８は、カッターブレードの隆起したカット面を説明する、図６のカッターブレードの一部の、拡大され、寸断された上面平面図である。
【図９】図９は、図８の線９−９に沿った、図８のプレーンカッターの刃の配置の側面図である。
【図１０】図１０は、図９の線１０−１０に沿った、部分的な断面図である。
【図１１】図１１は、図６の線１１−１１に沿った、プレーンボディーの部分的な断面図である。
【図１】
2008523887.tif 000003
【図２】
2008523887.tif 000004
【図３】
2008523887.tif 000005
【図４】
2008523887.tif 000006
【図５】
2008523887.tif 000007
【図６】
2008523887.tif 000008
【図７】
2008523887.tif 000009
【図８】
2008523887.tif 000010
【図９】
2008523887.tif 000011
【図１０】
2008523887.tif 000012
【図１１】
2008523887.tif 000013
【国際調査報告】
2008523887.tif 000014
2008523887.tif 000015
2008523887.tif 000016